【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  無機、有機または有機および無機物質のマトリクスを含み、該マトリクス内に組み込まれる生体分子相互作用を含有するキャリアであって、該生体分子相互作用が、互いに可逆的に分離可能な２つの実体を含むことを特徴とするキャリア。
【請求項２】  前記生体分子相互作用の実体が、変性条件下で前記マトリクス内で可逆的に分離可能であり、前記マトリクスが前記変性条件下で前記実体の凝集を抑制することを特徴とする請求項１記載のキャリア。
【請求項３】  前記キャリアの孔サイズが、前記生体分子相互作用またはその実体からの浸出を抑制するよう選択されることを特徴とする請求項２記載のキャリア。
【請求項４】  前記キャリアの孔サイズが、前記生体分子相互作用の潜在的なモジュレーターが前記マトリクスの内部および外部への通過を可能とするよう選択されることを特徴とする請求項３記載のキャリア。
【請求項５】  前記キャリアが、シリカを主成分とするガラスを含むことを特徴とする請求項１記載のキャリア。
【請求項６】  前記物質が、ケイ素、チタン、バナジウムまたはセリウムを主成分とする金属アルコキシド、アルキル化金属アルコキシドまたはそうでなければ官能化された金属アルコキシドあるいは対応する金属塩化物、シラザン、ポリグリセリルシリケートまたは他のシリケート前駆体であることを特徴とする請求項１から５いずれか１項記載のキャリア。
【請求項７】  ゾル−ゲル加工法により得られることを特徴とする請求項１から５いずれか１項記載のキャリア。
【請求項８】  前記生体分子相互作用が生物活性であることを特徴とする請求項１から６いずれか１項記載のキャリア。
【請求項９】  前処理により動物体液中に見られる成分を含有することを特徴とする請求項７または８記載のキャリア。
【請求項１０】  前記前処理が、使用前約７日までの期間、動物体液中で見られる成分を含有する溶液中に浸漬することによることを特徴とする請求項９記載のキャリア。
【請求項１１】  前記動物体液が間質液であることを特徴とする請求項１０記載のキャリア。
【請求項１２】  前記キャリアが、滅菌条件下で合成されるまたは従来の滅菌法を使用して合成の後滅菌されることを特徴とする請求項７から１１いずれか１項記載のキャリア。
【請求項１３】  可逆的に変性可能なキャリア内に組み込まれた生体分子相互作用を有するキャリアを調製する方法であって、変性条件下でマトリクスが前記変性した生体分子相互作用の実体の凝集を抑制することを特徴とし、
(a)官能化された金属アルコキシドまたは対応するあるいは他のシリケート前駆体を含む反応体を水と反応させ、
(b)生体分子相互作用を含有する水溶液を加える前または加える間に4から10までの値にpHを調節して混合物を提供し、
(c)該混合物を注型し、
(d)該混合物をゲル化および熟成させ、
(e)該熟成したゲルをある程度乾燥させる、
各工程を含むことを特徴とする方法。
【請求項１４】  前記反応が、単独でまたは一つ以上の反応体の混合として起こり、該反応体が、ケイ素、チタン、バナジウムまたはセリウムを主成分とする金属アルコキシド、アルキル化金属アルコキシドまたはそうでなければ官能化された金属アルコキシドであることを特徴とする請求項１３記載の方法。
【請求項１５】  前記官能化された金属アルコキシドが、アミノプロピルトリエトキシシランであることを特徴とする請求項１４記載の方法。
【請求項１６】  前記対応する官能化された金属アルコキシドが、金属塩化物、シラザン、またはポリグリセリルシリケートであることを特徴とする請求項１３記載の方法。
【請求項１７】  前記反応が、酸性または塩基性の水性培地中で起こることを特徴とする請求項１３から１６いずれか１項記載の方法。
【請求項１８】  前記反応体および水が、約1:1から約20:1までの水／反応体のモル比であることを特徴とする請求項１３から１７いずれか１項記載の方法。
【請求項１９】  前記混合物の注型が、ピンスポッティング、インクジェット付着またはスクリーン印刷による表面上の型、カラム、マイクロタイターウェル、スポット；または浸漬、回転注型または噴霧による表面上のフィルムにおいて行われることを特徴とする請求項１３から１８いずれか１項記載の方法。
【請求項２０】  前記ゲル化および熟成が、約0℃から約40℃までの温度で行われることを特徴とする請求項１３から１９いずれか１項記載の方法。
【請求項２１】  前記ある程度の乾燥が、約4℃から約40℃までの温度で行われることを特徴とする請求項１３から２０いずれか１項記載の方法。
【請求項２２】  適切な条件下で可逆的に変性可能なキャリア中に組み込まれた生物活性である生体分子相互作用を有するキャリアを調製する方法であって、
(a)生物活性である生体分子相互作用をキャリア中に組込み、
(b)少なくとも一つの単量体を加水分解および縮重合して、前記キャリア中に組み込まれた生物活性である生体分子相互作用を結合する固体マトリクスを提供し、
(c)該マトリクス中で物理的、化学的および熱安定性を与える、
各工程を含むことを特徴とする方法。
【請求項２３】  前記少なくとも一つの単量体が、官能化されたまたは官能化されていないアルコキシシラン；官能化されたまたは官能化されていないビス−シラン；官能化されたまたは官能化されていないクロロシラン；糖、ポリマー、ポリオールまたはアミノ酸置換されたシリケート；または任意の利用可能な有機ポリマー、高分子電解質、糖（天然または合成）またはアミノ酸（天然または非天然）であることを特徴とする請求項２２記載の方法。
【請求項２４】  前記単量体が、チタン、バナジウムまたはセリウムに基づくことを特徴とする請求項２３記載の方法。
【請求項２５】  前記物理的、化学的および熱安定性が、前駆体および添加物を組み合わせることにより与えられることを特徴とする請求項２２から２４いずれか１項記載の方法。
【請求項２６】  前記物理的、化学的および熱安定性が、熟成および乾燥する方法を選択することにより与えられることを特徴とする請求項２２から２４いずれか１項記載の方法。
【請求項２７】  前記物理的、化学的および熱安定性が、前駆体および添加物を組み合わせること、および熟成および乾燥する方法を選択することにより与えられることを特徴とする請求項２２から２４いずれか１項記載の方法。
【請求項２８】  前記キャリアが、シリカを主成分とするガラスを含むことを特徴とする請求項２２から２７いずれか１項記載の方法。
【請求項２９】  前記キャリアが、ケイ素、チタン、バナジウム、セリウムを主成分とする金属アルコキシド、アルキル化金属アルコキシドまたはそうでなければ官能化された金属アルコキシドあるいは対応する金属塩化物、シラザン、ポリグリセリルシリケートまたは他のシリケート前駆体を含むことを特徴とする請求項２２から２８いずれか１項記載の方法。
【請求項３０】  前記キャリアが、ゾル−ゲル加工法により得られることを特徴とする請求項２２から２８いずれか１項記載の方法。
【請求項３１】  前記キャリアが請求項８記載のキャリアであることを特徴とする請求項２２から３０いずれか１項記載の方法。
【請求項３２】  化合物をスクリーニングして該化合物による生体分子相互作用の抑制または結合の程度を測定する方法であって、テストされる化合物を生体分子相互作用の分子と接触させる工程を含み、該分子がキャリア内に組み込まれ、該キャリア中で生体分子相互作用を形成することができ、前記化合物による生体分子相互作用の形成の抑制または結合により、前記分子の相互作用の部位においてまたはその近くで一つ以上の標識により前記相互作用の分子により産生される検出可能なシグナルの量が変化することを特徴とする方法。
【請求項３３】  前記生体分子相互作用が、請求項１から１２いずれか１項記載のキャリア内に組み込まれることを特徴とする請求項３７記載の方法。
【請求項３４】  前記キャリアが、シリカを主成分とするガラスであることを特徴とする請求項３２記載の方法。
【請求項３５】  前記キャリアが、ケイ素、チタン、バナジウムまたはセリウムを主成分とする金属アルコキシド、アルキル化金属アルコキシドまたはそうでなければ官能化された金属アルコキシドあるいは対応する金属塩化物、シラザン、ポリグリセリルシリケートまたは他のシリケート前駆体であることを特徴とする請求項３２または３４記載の方法。
【請求項３６】  前記キャリアが、ゾル−ゲル加工法により得られることを特徴とする請求項３２から３５いずれか１項記載の方法。
【請求項３７】  前記生体分子相互作用が、生物活性であることを特徴とする請求項３２から３６いずれか１項記載の方法。
【請求項３８】  生体分子相互作用を抑制または結合する物質について高処理量スクリーニングする方法であって、
(a)キャリア内に生体分子相互作用を組み込み、
(b)支持体上に、それぞれのスポットが生体分子相互作用を含有するゾル−ゲル由来スポットのアレイを形成し、
(c)任意の他の物質の非存在下で前記生体分子相互作用からの最初のシグナルを測定し、
(d)前記生体分子相互作用を可逆的に崩壊して、前記シグナルを検出可能に変化させ、
(e)前記物質をキャリア中の生体分子相互作用に加え、崩壊を逆転させ、
(f)前記シグナルを測定する、
各工程を含み、前記最初のシグナルは回復されず、前記物質は生体分子相互作用を結合または抑制することが測定されることを特徴とする方法。
【請求項３９】  前記シグナルが、光ファイバーを通してHe-Cdレーザーによりまたは二叉光ファイバーを通して窒素レーザーにより励起されることを特徴とする請求項３８記載の方法。
【請求項４０】  前記シグナルが、同じファイバーにより検出されることを特徴とする請求項３９記載の方法。
【請求項４１】  前記シグナルが、時間制御または時間分解モードで検出されることを特徴とする請求項４０記載の方法。
【請求項４２】  前記シグナルが、それぞれ直接または光ファイバーを通して、レーザー、ランプまたは発光ダイオードにより励起され、蛍光がCCDカメラを使用して検出されることを特徴とする請求項３８から４１いずれか１項記載の方法。
【請求項４３】  生体分子相互作用を結合または抑制するための物質をプレスクリーニングするための通常のまたは正面のアフィニティクロマトグラフィの方法であって、
キャリア内に生体分子相互作用またはそれぞれのタンパク質パートナーを組み込み、
前記キャリアをカラム中に配置し、
変性剤を加え、
指標リガンドを含む前記物質を、前記変性剤の除去とともに前記カラム中に通過させ、
蛍光または質量分析法により保持作用を測定する、
各工程を含むことを特徴とする方法。
【請求項４４】  請求項３２から４３いずれか１項記載の方法を実施するための請求項１から１２いずれか１項記載のキャリアの使用方法。